(57)【要約】【課題】装置を小型化することができる画像形成装置を提供する。【解決手段】画像形成装置は、画像形成部を挟んで対向する一対のフレームと、画像形成部に対し一方側に配置されるフレームの外側の面を覆うサイドカバー２２とを有する筐体２と、筐体２の上方に設けられ、筐体２に対して開状態と閉状態とに回動可能な読取装置１０と、画像形成部に対して一方側に配置され、一端部が筐体に回動可能に連結され、他端部が読取装置１０にスライド移動可能に連結されるアーム１００と、読取装置１０に設けられ、アーム１００の他端部をスライド移動可能に支持するガイド２００と、を備えている。読取装置１０は、ガイド２００の一対のフレームの対向方向における外側の側面を覆う外側壁部１１Ａを有し、外側壁部１１Ａは、読取装置１０が閉状態のとき、前記対向方向から見て、サイドカバー２２と重なる。【選択図】図６
2014164008.tif 000002
【特許請求の範囲】
【請求項１】
画像形成部を挟んで対向する一対のフレームと、前記画像形成部に対し一方側に配置される前記フレームの外側の面を覆うカバーとを有する筐体と、
前記筐体の上方に設けられ、前記筐体に対して開状態と閉状態とに回動可能な読取装置と、
前記画像形成部に対して前記一方側に配置され、一端部が前記筐体に回動可能に連結され、他端部が前記読取装置にスライド移動可能に連結されるアームと、
前記読取装置に設けられ、前記アームの他端部をスライド移動可能に支持するガイドと、を備え、
前記読取装置は、前記ガイドの前記一対のフレームの対向方向における少なくとも外側の側面を覆う壁部を有し、
前記壁部は、前記読取装置が前記閉状態のとき、前記対向方向から見て、前記カバーと重なることを特徴とする画像形成装置。
【請求項２】
前記読取装置を回動可能に支持する軸支部を備え、
前記壁部は、前記ガイドを覆う位置から前記軸支部側の端部まで延びていることを特徴とする請求項１に記載の画像形成装置。
【請求項３】
前記カバーは、前記アームの一端部を回動可能に支持する支持部を有していることを特徴とする請求項１または請求項２に記載の画像形成装置。
【請求項４】
前記支持部は、前記一方側のフレームよりも前記対向方向における外側に設けられていることを特徴とする請求項３に記載の画像形成装置。
【請求項５】
前記一対のフレームの間に配置される定着装置を備え、
前記ガイドは、前記読取装置が前記閉状態のとき、前記対向方向から見て、前記定着装置と重なることを特徴とする請求項１から請求項４のいずれか１項に記載の画像形成装置。
【請求項６】
前記壁部は、前記ガイドの前記対向方向における内側の側面を覆う内側壁部を有し、
前記内側壁部は、前記ガイドに対する前記アームの他端部のスライド移動方向における前記ガイドの一端部を露出させるように形成されていることを特徴とする請求項１から請求項５のいずれか１項に記載の画像形成装置。
【請求項７】
前記壁部は、前記ガイドの前記対向方向における内側の側壁を覆う内側壁部を有し、
前記内側壁部は、前記読取装置が前記閉状態のときの前記アームの他端部を覆う位置から前記読取装置を前記開状態に向けて回動させるときの前記アームの他端部のスライド移動方向下流側へ延び、前記スライド移動方向下流側の端部が、前記読取装置が前記開状態のときの前記アームの他端部を覆う位置よりも前記スライド移動方向上流側の位置に配置されていることを特徴とする請求項１から請求項５のいずれか１項に記載の画像形成装置。
【発明の詳細な説明】
【技術分野】
【０００１】
本発明は、読取装置を備えた画像形成装置に関する。
【背景技術】
【０００２】
従来、画像形成部を収容する筐体の上部に開状態と閉状態に回動可能な読取装置を備え、読取装置が開状態に回動されたときに、その姿勢を保持できるように構成された画像形成装置が知られている（例えば、特許文献１参照）。
【０００３】
具体的には、画像形成装置は、開状態に回動された読取装置を支えるアームを備えている。アームは、一端部が筐体に回動可能に支持され、他端部が読取装置の下面に設けられたガイドにスライド移動可能に支持されている。そして、読取装置の下面には、ガイドの外側の面を覆う側壁が設けられており、この側壁は、読取装置が閉状態に回動されたときに、筐体の上に載るように構成されている。
【先行技術文献】
【特許文献】
【０００４】
【特許文献１】特開２０１１−１０４８２３号公報
【発明の概要】
【発明が解決しようとする課題】
【０００５】
しかしながら、上述した技術では、読取装置の下面に設けられたガイドや側壁が筐体の上に載るので、その分、装置が高さ方向に大型化してしまう。
【０００６】
そこで、本発明は、装置を小型化することができる画像形成装置を提供することを目的とする。
【課題を解決するための手段】
【０００７】
前記した目的を達成するため、本発明の画像形成装置は、画像形成部を挟んで対向する一対のフレームと、画像形成部に対し一方側に配置されるフレームの外側の面を覆うカバーとを有する筐体と、筐体の上方に設けられ、筐体に対して開状態と閉状態とに回動可能な読取装置と、画像形成部に対して前記一方側に配置され、一端部が筐体に回動可能に連結され、他端部が読取装置にスライド移動可能に連結されるアームと、読取装置に設けられ、アームの他端部をスライド移動可能に支持するガイドと、を備えている。
そして、読取装置は、ガイドの一対のフレームの対向方向における少なくとも外側の側面を覆う壁部を有し、壁部は、読取装置が閉状態のとき、前記対向方向から見て、カバーと重なるように構成される。
【０００８】
このように構成された画像形成装置によれば、読取装置が閉状態のとき、壁部とカバーが重なるので、壁部がカバーの上方に配置される構成に比べて、装置を小型化することができる。
【０００９】
そして、前記した画像形成装置は、読取装置を回動可能に支持する軸支部を備え、壁部は、ガイドを覆う位置から軸支部側の端部まで延びていることが望ましい。
【００１０】
このように構成された画像形成装置によれば、読取装置を開状態から閉状態へ回動させたときに、読取装置とカバーの間が壁部で隠されるので、読取装置とカバーの間に物が挟まるのを抑制することができる。
【００１１】
また、前記した画像形成装置において、カバーは、アームの一端部を回動可能に支持する支持部を有してもよい。
【００１２】
この場合、支持部は、前記一方側のフレームよりも前記対向方向における外側に設けられていることが望ましい。
【００１３】
このように構成された画像形成装置によれば、支持部をフレームの上端よりも低い位置に設けることができるので、装置をより小型化することができる。
【００１４】
そして、前記した画像形成装置は、一対のフレームの間に配置される定着装置を備えていてもよい。
この場合、ガイドは、読取装置が閉状態のとき、前記対向方向から見て、定着装置と重なることが望ましい。
【００１５】
このように構成された画像形成装置によれば、定着装置の横のスペースを有効利用することができるので、装置を小型化することができる。
【００１６】
そして、前記した画像形成装置において、壁部は、ガイドの前記対向方向における内側の側面を覆う内側壁部を有し、内側壁部は、ガイドに対するアームの他端部のスライド移動方向におけるガイドの一端部を露出させるように形成されていることが望ましい。
【００１７】
このように構成された画像形成装置によれば、アームをガイドに組み付けるときに、ガイドの一端部を撓ませることで、アームを取り付けるのが容易となる。
【００１８】
また、前記した画像形成装置において、壁部は、ガイドの前記対向方向における内側の側壁を覆う内側壁部を有し、内側壁部は、読取装置が閉状態のときのアームの他端部を覆う位置から読取装置を開状態に向けて回動させるときのアームの他端部のスライド移動方向下流側へ延び、スライド移動方向下流側の端部が、読取装置が開状態のときのアームの他端部を覆う位置よりもスライド移動方向上流側の位置に配置されていてもよい。
【００１９】
このように構成された画像形成装置であっても、アームをガイドに組み付けるときに、ガイドの一端部を撓ませることで、アームを取り付けるのが容易となる。また、この構成では、読取装置を上方に回動させた開状態でアームをガイドに組み付けることができるので、組み付け作業がしやすい。
【発明の効果】
【００２０】
本発明によれば、読取装置が最も下方に位置するとき、壁部とカバーが重なるので、壁部がカバーの上方に配置される構成に比べて、装置を小型化することができる。
【図面の簡単な説明】
【００２１】
【図１】本発明の一実施形態に係る複合機の概略構成を示す図である。
【図２】読取装置を開状態としたときの複合機を示す斜視図（ａ）と、（ａ）におけるアームの係合部近傍を示す部分拡大図（ｂ）である。
【図３】アームを示す斜視図（ａ）と、ガイドを示す斜視図（ｂ）である。
【図４】サイドフレーム、サイドカバーおよび定着フレームを示す平面図である。
【図５】読取装置の下面を示す図である。
【図６】読取装置が閉状態のときのアームおよびガイドを示す左側面図である。
【図７】読取装置が開状態のときのアームおよびガイドを示す左側面図である。
【発明を実施するための形態】
【００２２】
次に、本発明の一実施形態について、適宜図面を参照しながら詳細に説明する。なお、以下の説明においては、まず、画像形成装置の一例としての複合機１の全体構成を説明した後、本発明の特徴部分を詳細に説明することとする。
【００２３】
以下の説明において、方向は、複合機１の使用時のユーザを基準にした方向で説明する。すなわち、図１において、紙面に向かって右側を「前側（手前側）」、紙面に向かって左側を「後側（奥側）」とし、紙面に向かって奥側を「右側」、紙面に向かって手前側を「左側」とする。また、紙面に向かって上下方向を「上下方向」とする。
【００２４】
＜複合機の概略構成＞
図１に示すように、複合機１は、筐体２と、筐体２の上方に設けられた読取装置１０とを備えている。また、複合機１は、筐体２内に、用紙Ｐを供給するフィーダ部３と、給紙された用紙Ｐに画像を形成する画像形成部４とを主に備えている。
【００２５】
また、筐体２には、上面を覆うトップカバー２３と、前面を覆うフロントカバー２４とが設けられている。
【００２６】
トップカバー２３は、筐体２の上面に形成される開口を開閉するカバー部材であり、後部を支点として上下に回動可能に設けられている。
フロントカバー２４は、筐体２の前面に形成される差込口２Ｂを開閉するカバー部材であり、下部を支点として前後に回動可能に設けられている。そして、フロントカバー２４を開いて差込口２Ｂを開放することにより、差込口２Ｂから用紙Ｐを筐体２内へ挿入することが可能となっている。
【００２７】
読取装置１０は、公知の構成を有するフラットベッドスキャナであり、複写の際には、原稿に光を照射して画像を読み取ることで画像データを作成する。この読取装置１０は、後端部に軸受け部１０Ａを有し、この軸受け部１０Ａが、筐体２の上部の後端部に設けられた軸支部の一例としての回動軸部２Ａに回動可能に支持されている。これにより、読取装置１０は、図１に示すような筐体２に対して読取装置１０の前端部が最も下方に位置する閉状態と、図２に示すような筐体２に対して読取装置１０の前端部が最も上方に位置する開状態とに回動可能となっている。また、読取装置１０は、閉状態のときに、下面１０Ｂ（図２参照）が筐体２の上端に当接し、筐体２の上に載るように構成されている。
【００２８】
図１に戻り、フィーダ部３は、筐体２の下方に位置し、用紙Ｐを載置するための給紙トレイ３１と、給紙機構３２とを備えている。
【００２９】
給紙トレイ３１は、用紙Ｐが載置される用紙載置板３１Ａおよび前述したフロントカバー２４によって構成されている。具体的には、フロントカバー２４は、実線で示した前側に倒れた状態において、給紙トレイ３１の前部を構成し、用紙載置板３１Ａは、フロントカバー２４の後方に設けられ、給紙トレイ３１の後部を構成している。また、用紙載置板３１Ａは、給紙トレイ３１に載置された用紙Ｐを後述する給紙ローラ３２Ａに向けて持ち上げるように構成されている。
【００３０】
給紙機構３２は、用紙載置板３１Ａの後端の上方に配置される給紙ローラ３２Ａなどを備え、給紙トレイ３１上の用紙Ｐを１枚ずつ画像形成部４へ供給するように構成されている。
【００３１】
画像形成部４は、スキャナユニット５と、プロセスカートリッジ６と、定着装置７とを備えている。
【００３２】
スキャナユニット５は、筐体２内の前側に設けられ、図示しないレーザ発光部、ポリゴンミラー、レンズおよび反射鏡などを備えている。このスキャナユニット５では、レーザビームを、感光ドラム６１の表面上に高速走査にて照射する。
【００３３】
プロセスカートリッジ６は、筐体２の後部において、給紙機構３２の上方に設けられている。プロセスカートリッジ６は、トップカバー２３を開放することにより形成される開口を通して筐体２に対して着脱可能であり、感光ドラム６１や、感光ドラム６１上のトナー像を用紙Ｐに転写させる転写ローラ６２、図示しない帯電器、符号を省略して示す現像ローラ、供給ローラおよびトナー収容室などを備えている。
【００３４】
このプロセスカートリッジ６では、回転する感光ドラム６１の表面が、帯電器により一様に帯電された後、スキャナユニット５からのレーザビームの高速走査により露光される。これにより、露光された部分の電位が下がって、感光ドラム６１の表面に画像データに基づく静電潜像が形成される。
【００３５】
次いで、トナー収容室内のトナーが現像ローラによって感光ドラム６１の静電潜像に供給され、感光ドラム６１の表面上にトナー像が形成される。その後、感光ドラム６１と転写ローラ６２の間で用紙Ｐが搬送されることで、感光ドラム６１の表面に担持されているトナー像が用紙Ｐ上に転写される。
【００３６】
定着装置７は、筐体２の上側後方に位置し、プロセスカートリッジ６の上方に配置されており、主に、加熱ローラ７１と、加圧ローラ７２とを備えている。
【００３７】
加熱ローラ７１は、用紙Ｐを加熱する部材であり、その内側には、ハロゲンランプ等の熱源が設けられている。
加圧ローラ７２は、加熱ローラ７１との間で用紙Ｐを挟持して搬送する部材であり、加熱ローラ７１の後斜め上側に設けられている。
【００３８】
そして、このように構成される定着装置７では、用紙Ｐ上に転写されたトナーを、用紙Ｐが加熱ローラ７１と加圧ローラ７２との間を通過する間に熱定着している。なお、定着装置７で熱定着された用紙Ｐは、定着装置７の下流側に配設される排出ローラ８に搬送され、この排出ローラ８からトップカバー２３の上面に形成された排出トレイ９上に排出される。
【００３９】
＜読取装置周辺の詳細構成＞
次に、本発明の特徴部分である読取装置１０周辺の詳細な構成について説明する。
【００４０】
図２に示すように、複合機１は、読取装置１０の開閉を支持するアーム１００およびガイド２００を備えている。
【００４１】
アーム１００は、一端部が筐体２に回動可能に連結され、他端部がガイド２００を介して読取装置１０にスライド移動可能に連結されている。
【００４２】
ガイド２００は、読取装置１０の下面１０Ｂに取り付けられている。具体的には、読取装置１０の下面１０Ｂには、下面１０Ｂから突出する壁部１１が設けられている。壁部１１は、前後方向に延びる外側壁部１１Ａと、外側壁部１１Ａよりも左右方向内側に設けられ、外側壁部１１Ａと対向する第１内側壁部１１Ｂおよび第２内側壁部１１Ｃを有している。そして、ガイド２００は、外側壁部１１Ａと第１内側壁部１１Ｂの間に嵌っている。言い換えると、外側壁部１１Ａは、ガイド２００の左右方向外側の側面を覆い、第１内側壁部１１Ｂは、ガイド２００の左右方向内側の側面を覆っている。
【００４３】
図３（ａ）に示すように、アーム１００は、長尺状の本体部１１０と、本体部１１０の一端部に設けられる第１連結部１２０と、本体部１１０の他端部に設けられる第２連結部１３０とを有している。
【００４４】
第１連結部１２０は、後述する筐体２の支軸２２Ｃが入り込める凹部を有し、この支軸２２Ｃに係合可能に構成されている。
【００４５】
第２連結部１３０は、本体部１１０から本体部１１０の長手方向に延出し、その側面、具体的には、左右方向における内側を向く面に、厚み方向に突出する係合突起１３１が設けられている。
【００４６】
ガイド２００は、図３（ｂ）に示すように、前後方向に長い略矩形状の第１ガイド壁２１０と、第１ガイド壁２１０の左方に配置され、第１ガイド壁２１０と対向する第２ガイド壁２２０と、第１ガイド壁２１０と第２ガイド壁２２０の前端部同士を連結する連結壁２３０とを有している。そして、第１ガイド壁２１０と第２ガイド壁２２０は、その間にアーム１００の第２連結部１３０を挟めるような間隔をあけて配置されている。また、ガイド２００は、樹脂等から形成され、第１ガイド壁２１０は可撓性を有している。
【００４７】
第１ガイド壁２１０は、左右方向に貫通したガイド溝２４０を有している。ガイド溝２４０は、第１ガイド壁２１０の前端部から後端部まで延びるガイド部２４１と、ガイド部２４１の後端部から上方へ延びる係合部２４２とを有している。
【００４８】
このように構成されたガイド２００は、図２に示すように、アーム１００の上方に設けられている。そして、ガイド２００のガイド溝２４０には、アーム１００の係合突起１３１が係合している。これにより、ガイド２００は、アーム１００の第２連結部１３０をガイド溝２４０に沿って前後方向にスライド移動可能に支持している。
【００４９】
次に、上記のように構成されたアーム１００やガイド２００が取り付けられている筐体２と読取装置１０の構成について説明する。
【００５０】
筐体２は、図４に示すように、一対のサイドフレーム２１と、一対のサイドフレーム２１の外側の面を覆う一対のサイドカバー２２とを備えている。
【００５１】
一対のサイドフレーム２１は、左右方向から画像形成部４を挟んで対向するように配置されている。例えば、定着装置７の加熱ローラ７１および加圧ローラ７２を保持する定着フレーム７３は、一対のサイドフレーム２１の間に配置され、一対のサイドフレーム２１に支持されている。
【００５２】
一対のサイドカバー２２は、各サイドフレーム２１に対して画像形成部４とは反対側、つまり、左右方向における外側に配置されている。各サイドカバー２２は、対応するサイドフレーム２１の外側の面を覆う側壁２２Ａと、側壁２２Ａの内側の面から左右方向内側へ延びる上壁２２Ｂとを有している。上壁２２Ｂは、側壁２２Ａの上端やサイドフレーム２１の上端、定着フレーム７３の上端よりも低い位置に配置されている（図６参照）。
【００５３】
そして、一対のサイドカバー２２のうち画像形成部４に対して左側に配置される左側のサイドカバー２２Ｌには、支持部の一例としての支軸２２Ｃが設けられている。
【００５４】
支軸２２Ｃは、左右方向に延びる軸であり、左側のサイドカバー２２Ｌの側壁２２Ａよりも左右方向内側で、左側のサイドフレーム２１よりも左右方向における外側に配置されている。そして、図６に示すように、左右方向から見て、定着フレーム７３と重なる位置に設けられている。つまり、支軸２２Ｃは、定着フレーム７３の左側に設けられている。
【００５５】
そして、支軸２２Ｃには、アーム１００の第１連結部１２０が係合し、支軸２２Ｃは、アーム１００を回動可能に支持している。これにより、アーム１００およびアーム１００に連結されるガイド２００は、画像形成部４に対して左側に配置されるとともに、左側のサイドカバー２２Ｌの側壁２２Ａよりも左右方向内側に配置されている。
【００５６】
図５に示すように、読取装置１０に設けられている外側壁部１１Ａは、第２ガイド壁２２０に沿って前後方向に延び、前端部が、ガイド２００よりも前の位置に配置され、後端部が、読取装置１０が開状態のときに左右方向から見て左側のサイドカバー２２Ｌの側壁２２Ａと重なる位置まで配置されている（図７参照）。つまり、外側壁部１１Ａは、ガイド２００を覆う位置から読取装置１０の軸受け部１０Ａ側の端部、すなわち、後端部まで延びている。
【００５７】
第１内側壁部１１Ｂは、第１ガイド壁２１０に沿って前後方向に延び、前端部が、ガイド２００よりも前の位置に配置され、後端部が、ガイド２００の係合部２４２よりも前側の位置に配置されている（図２（ｂ）参照）。
【００５８】
つまり、第１内側壁部１１Ｂは、読取装置１０が閉状態のときのアーム１００の係合突起１３１を覆う位置（ガイド溝２４０のガイド部２４１の前端部を覆う位置）から、読取装置１０を閉状態から開状態に向けて回動させるときのアーム１００の係合突起１３１のスライド移動方向（以下、単に「スライド移動方向」という。）下流側、すなわち、後側へ向けて延びている。そして、第１内側壁部１１Ｂのスライド移動下流側の端部、すなわち、後端部は、読取装置１０が開状態のときのアーム１００の係合突起１３１を覆う位置（ガイド溝２４０の係合部２４２を覆う位置）よりもスライド移動方向上流側、すなわち、前側の位置に配置されている。
【００５９】
第２内側壁部１１Ｃは、第１内側壁部１１Ｂの後方に設けられている壁である。第２内側壁部１１Ｃは、前後方向に延び、前端部が第１内側壁部１１Ｂの後端部から離れた位置に配置されている。より詳細には、第２内側壁部１１Ｃの前端部は、ガイド２００の第１ガイド壁２１０よりも後側に配置されている。
【００６０】
これにより、図２（ｂ）に示すように、ガイド２００の後端部は、第１内側壁部１１Ｂと第２内側壁部１１Ｃの間から露出している。
【００６１】
そして、外側壁部１１Ａおよび第１内側壁部１１Ｂは、ガイド２００よりも下方に突出するような高さに形成されている。
【００６２】
次に、以上のように構成された複合機１におけるアーム１００の取り付け方について説明する。
【００６３】
アーム１００を複合機１に取り付ける際には、まず、読取装置１０を上方に回動させて、筐体２の上部を開放する。そして、読取装置１０の外側壁部１１Ａと第１内側壁部１１Ｂの間に、ガイド２００を組み付ける。
【００６４】
ガイド２００を読取装置１０に組み付けたら、アーム１００の第１連結部１２０を筐体２の支軸２２Ｃに係合させて、アーム１００を筐体２に連結する。
【００６５】
そして、第１内側壁部１１Ｂおよび第２内側壁部１１Ｃから露出しているガイド２００の第１ガイド壁２１０の後端部をつまんで開き、第１ガイド壁２１０と第２ガイド壁２２０の間にアーム１００の第２連結部１３０を差し込む。次に、撓ませていた第１ガイド壁２１０を元に戻してアーム１００の係合突起１３１をガイド溝２４０の係合部２４２に係合させて、アーム１００を読取装置１０に連結する。
【００６６】
なお、アーム１００を読取装置１０に連結させるときには、まず、読取装置１０に組み付ける前のガイド２００にアーム１００の第２連結部１３０を係合させた後に、ガイド２００を読取装置１０に取り付けてもよい。
【００６７】
以上のように構成された複合機１では、図６に示すように、読取装置１０が閉状態のとき、読取装置１０の壁部１１は、左右方向から見て、サイドカバー２２の側壁２２Ａと重なる。これにより、読取装置１０が閉状態のとき壁部１１が筐体２の上に載る場合に比べて、装置を小型化することができる。
【００６８】
そして、読取装置１０が閉状態のとき、ガイド２００は、筐体２の支軸２２Ｃよりも前側に位置する。また、アーム１００は、係合突起１３１がガイド溝２４０のガイド部２４１の前端部に係合し、横に倒れた姿勢になる。この状態で、ガイド２００とアーム１００は、左右方向から見て、定着フレーム７３と重なる。
【００６９】
このように、読取装置１０が閉状態のとき、アーム１００とガイド２００を定着フレーム７３の横に配置することで、定着フレーム７３の横のスペースを有効に利用することができる。これにより、装置を小型化することができる。
【００７０】
また、アーム１００が連結される支軸２２Ｃはサイドフレーム２１の上端よりも低い位置に配置されるので、装置の高さを抑えることができる。
【００７１】
そして、プロセスカートリッジ６を交換する際など、トップカバー２３を開きたいときには、閉状態の読取装置１０を持ち上げて開状態にする。
【００７２】
読取装置１０を閉状態から開状態へ回動させると、図７に示すように、アーム１００の係合突起１３１がガイド２００のガイド溝２４０に沿って後方へ移動する。そして、読取装置１０が開状態になると、アーム１００の係合突起１３１は、ガイド２００の係合部２４２に係合する。
【００７３】
このとき、ガイド２００の係合部２４２は、筐体２の支軸２２Ｃの上方に位置する。これにより、アーム１００は、立った姿勢になり、開状態の読取装置１０を支える。
【００７４】
読取装置１０が開状態のとき、読取装置１０の下面１０Ｂが露出するが、ガイド２００は、外側壁部１１Ａと第１内側壁部１１Ｂの間に入っているので、ユーザがガイド２００やアーム１００の係合突起１３１に触れて、誤ってアーム１００がガイド２００から外れてしまったり、ガイド２００が読取装置１０から外れてしまったりするのを抑制することができる。
【００７５】
そして、読取装置１０を閉状態に戻すときには、読取装置１０を一旦持ち上げてから閉状態へ向けて回動させる。これにより、アーム１００の係合突起１３１は、ガイド２００の係合部２４２から外れたあと、ガイド部２４１に沿って前方へ移動する。
【００７６】
読取装置１０が開状態から閉状態へ回動するとき、外側壁部１１Ａが読取装置１０の後端部から前端部に向けて延びているので、読取装置１０の下面と左側のサイドカバー２２Ｌの側壁２２Ａとの間が外側壁部１１Ａで隠れている。これにより、読取装置１０を開状態から閉状態へ回動させたときに、読取装置１０と側壁２２Ａとの間に物が挟まるのを抑制することができる。
【００７７】
以上、本発明の実施形態について説明したが、本発明は前記実施形態に限定されるものではない。具体的な構成については、本発明の趣旨を逸脱しない範囲で適宜変更が可能である。
【００７８】
前記実施形態では、壁部１１がガイド２００の左右方向外側の側面と内側の側面の両方を覆うように形成されていたが、本発明はこれに限定されるものではない。例えば、壁部１１は、外側壁部１１Ａのみ有し、ガイド２００の左右方向外側の側面のみを覆うように形成されていてもよい。
【００７９】
また、前記実施形態では、外側壁部１１Ａは、読取装置１０の後端部まで設けられていたが、本発明はこれに限定されるものではない。例えば、外側壁部１１Ａは、左右方向から見て、ガイド２００と重なる範囲にのみ設けられていてもよい。
【００８０】
前記実施形態では、壁部１１は、ガイド２００の左右方向内側の側面を覆うとともに、ガイド２００の後端部を露出させるように形成された第１内側壁部１１Ｂおよび第２内側壁部１１Ｃを有していたが、本発明はこれに限定されるものではない。例えば、壁部は、ガイド２００の前端部を露出させるように形成された内側壁部を有していてもよい。
【００８１】
前記実施形態では、ガイド２００は、読取装置１０とは別個の部品であり、読取装置１０に取り付けられていたが、本発明はこれに限定されるものではない。例えば、ガイドは、読取装置１０の下面に一体に形成されていてもよい。
【符号の説明】
【００８２】
１      複合機
２      筐体
２Ａ    回動軸部
４      画像形成部
７      定着装置
１０    読取装置
１１    壁部
１１Ａ  外側壁部
１１Ｂ  第１内側壁部
２１    サイドフレーム
２２    サイドカバー
２２Ｃ  支軸
１００  アーム
１２０  第１連結部
１３０  第２連結部
１３１  係合突起
２００  ガイド
【図１】
2014164008.tif 000003
【図２】
2014164008.tif 000004
【図３】
2014164008.tif 000005
【図４】
2014164008.tif 000006
【図５】
2014164008.tif 000007
【図６】
2014164008.tif 000008
【図７】
2014164008.tif 000009